(57)【要約】【課題】天板を垂直姿勢に保持するためにストッパーをかけたり、天板の保持を解除するためにストッパーを解除する作業を、天板を回動させるだけで、だれでも極めて簡単に行うことができて、ストッパーをかけ忘れたり、解除し忘れたりすることがなくなり、しかも構造的に破損、摩耗し難く、高い耐久性を有するストッパーを備えた卓球台を提供する。【解決手段】卓球台を収納する場合には、水平姿勢となっている天板３の端部を手で掴み、天板３を垂直姿勢となる方向に回動させる。天板３を二点鎖線に示す接近ポジションＰｋになるまで回動させると、永久磁石３３が連結部１１を吸着する。永久磁石３３が連結部１１を吸着することで、天板３が垂直姿勢に保持される。このように天板３を回動させるだけで垂直姿勢に簡単に保持できるため、ストッパーをいちいちかけるという作業が不要となる。【選択図】        図１
2010162129.tif 000002
【特許請求の範囲】
【請求項１】
下端にキャスターを備えた支持脚と、前記支持脚に支持された天板と、前記天板を略垂直となる垂直姿勢と略水平となる水平姿勢とに回動自在に支持する天板支持手段と、前記天板支持手段によって支持された天板を垂直姿勢に保持するストッパーとを有する卓球台において、
前記ストッパーは、天板側と支持脚側のいずれか一方側に設けられた永久磁石と、他方側に設けられ、前記永久磁石に吸着される磁性体とによって構成されていることを特徴とする卓球台。
【請求項２】
請求項１に記載した卓球台において、天板は二分割されており、前記二分割された天板それぞれに支持脚と、天板支持手段と、ストッパーが備えられ、前記二分割されている天板の端面どうしを突き合わせた状態に配置して用いることを特徴とする卓球台。
【請求項３】
請求項１または２に記載した卓球台において、天板を垂直姿勢となる方向へ回動させ、永久磁石と磁性体との距離が一定以下になると永久磁石が磁性体を吸着し、天板が垂直姿勢に保持されることを特徴とする卓球台。
【請求項４】
請求項１から３のいずれかに記載した卓球台において、永久磁石は複数設けられ、前記複数の永久磁石は互いに間隔をあけて配置されていることを特徴とする卓球台。
【発明の詳細な説明】
【技術分野】
【０００１】
本発明は卓球台に係り、特に天板をほぼ垂直に立った姿勢に保持するストッパーを有する卓球台に関するものである。
【背景技術】
【０００２】
卓球台には、支持脚に支持された天板を回動させて、略垂直となる垂直姿勢と略水平となる水平姿勢とにできるものがある。この種の卓球台として特許文献１に記載されたものがあり、この卓球台は天板を垂直姿勢にした状態で収納または移動し、天板を水平姿勢にした状態で使用する。
このような卓球台には、移動する際や、天板を垂直姿勢にした状態で収納している際等に天板が不用意に回動しないように、天板を垂直姿勢に保持するためのストッパーが設けられている。このストッパーは、例えば先端部分がフック状となった金属製の係合部材と、この係合部材が係合するピンとから構成されており、天板を垂直姿勢にした状態で係合部材をピンに係合して保持するようになっている。
【先行技術文献】
【特許文献】
【０００３】
【特許文献１】実開昭６１−１５１７６７号公報
【発明の概要】
【発明が解決しようとする課題】
【０００４】
しかしながら、上記ストッパーで天板を垂直姿勢に保持するためには、係合部材をピンにいちいち係合しなければならず、天板の保持を解除する場合にも係合部材をピンからいちいち外さなければならず、非常に面倒であり、だれにでも簡単に行うことができるとは限らない。卓球台は公共の体育館等において使用されることも多く、この場合には特定されない多くの人が卓球台を扱うことになる。従って、係合部材をピンに係合したり、外したりする作業をうまく行うことができない人が卓球台を扱うことも想定される。
また、ストッパーをかけ忘れたまま卓球台を移動する際や、天板を垂直姿勢にした状態で収納している際等において、天板が不用意に回動してしまうおそれがあり危険である。また、ストッパーを解除し忘れた状態で、天板を回動させようとすると、支持脚を含めた卓球台全体が倒れてしまうおそれがあり危険である。
また、上記の係合部材とピンとから成るストッパーは、無理な力がかかったり、長期間使用したりすることによって、構造的に係合部材やピンが破損、摩耗し易いという問題もある。
【０００５】
本発明は、上記従来の問題点に着目して為されたものであり、天板を垂直姿勢に保持するためにストッパーをかけたり、天板の保持を解除するためにストッパーを解除する作業を、天板を回動させるだけで、だれでも極めて簡単に行うことができて、ストッパーをかけ忘れたり、解除し忘れたりすることがなくなり、しかも構造的に破損、摩耗し難く、高い耐久性を有するストッパーを備えた卓球台を提供することを目的とする。
【課題を解決するための手段】
【０００６】
本発明は上記課題を解決するためになされたものであり、請求項１の発明は、下端にキャスターを備えた支持脚と、前記支持脚に支持された天板と、前記天板を略垂直となる垂直姿勢と略水平となる水平姿勢とに回動自在に支持する天板支持手段と、前記天板支持手段によって支持された天板を垂直姿勢に保持するストッパーとを有する卓球台において、前記ストッパーは、天板側と支持脚側のいずれか一方側に設けられた永久磁石と、他方側に設けられ、前記永久磁石に吸着される磁性体とによって構成されていることを特徴とする卓球台である。
【０００７】
請求項２の発明は、請求項１に記載した卓球台において、天板は二分割されており、前記二分割された天板それぞれに支持脚と、天板支持手段と、ストッパーが備えられ、前記二分割されている天板の端面どうしを突き合わせた状態に配置して用いることを特徴とする卓球台である。
【０００８】
請求項３の発明は、請求項１または２に記載した卓球台において、天板を垂直姿勢となる方向へ回動させ、永久磁石と磁性体との距離が一定以下になると永久磁石が磁性体を吸着し、天板が垂直姿勢に保持されることを特徴とする卓球台である。
【０００９】
請求項４の発明は、請求項１から３のいずれかに記載した卓球台において、永久磁石は複数設けられ、前記複数の永久磁石は互いに間隔をあけて配置されていることを特徴とする卓球台である。
【発明の効果】
【００１０】
本発明の卓球台によれば、天板を垂直姿勢に保持するためにストッパーをかけたり、天板の保持を解除するためにストッパーを解除したりする作業を、天板を回動させるだけで、だれでも簡単に行うことができるようになる。
また、ストッパーをかけ忘れたり、解除し忘れたりするのを確実に防止することが可能となる。
しかも、構造的に破損、摩耗し難く、高い耐久性を有するストッパーを得ることができるようになる。
【図面の簡単な説明】
【００１１】
【図１】本発明の実施の形態に係る卓球台における構成体の側面図である。
【図２】図１の構成体の天板が垂直姿勢のときの一部斜視図である。
【図３】図１の構成体の天板を接近ポジションになるまで回動させたときのＡ−Ａ断面図である。
【図４】図１の構成体の天板が垂直姿勢のときのＡ−Ａ断面図である。
【発明を実施するための形態】
【００１２】
本発明の実施の形態に係る卓球台を図１から図４にしたがって説明する。
卓球台は二分割されるセパレート式のものであり、１台の卓球台は同一構造の２つの構成体１から成っている。この卓球台は構成体１の天板３の端面どうしを付き合わせた状態に配置して用いる。
説明を簡単にするために、図１に１つの構成体１を示す。
【００１３】
前述したように卓球台は二分割されるセパレート式のものであるため、天板３も二分割されており、二分割された天板３それぞれに後述する支持脚５等が備えられている。
支持脚５は磁性体としての鉄製の角パイプによって構成されている。支持脚５は前後方向に水平に延びる一対の水平部７と、各水平部７の上面中央部から上方向に垂直に延びる垂直部９と、垂直部９どうしを連結し、左右方向に水平に延びる連結部１１とを有している。各水平部７の下面には一対のキャスター１３がそれぞれ取付けられており、移動可能となっている。
【００１４】
天板３の裏面の左右の端部には、前後方向に延びる長尺な一対の取付部材１７が取付けられている。一対の取付部材１７の中央部には前述した垂直部９の上端部が、支持軸１９を支点として回動自在にそれぞれ取付けられている。従って、天板３は略垂直となる垂直姿勢と略水平となる水平姿勢とに回動自在に支持される。
天板支持手段は取付部材１７と支持軸１９とによって構成されている。
符号２１は一対の脚部を示し、この一対の脚部２１は図示しない連結部材を介して連結されている。脚部２１の上端部は取付部材１７の上端部に、支持軸２３を支点として回動自在にそれぞれ取付けられている。一対の脚部２１の中央部には、回動バー２５の一端が支持軸２７を支点として回動自在にそれぞれ取付けられている。回動バー２５の他端は、一対の垂直部９の中央部に支持軸２９を支点として回動自在にそれぞれ取付けられている。
【００１５】
天板３には取付部材３１を介して１つの永久磁石３３が取付けられており、これらの永久磁石３３は天板３の垂直姿勢における連結部１１と対応する位置に備えられている。永久磁石３３は天板３の左右方向のほぼ中央に配置されている。永久磁石３３の１個当たりの吸着力は２０ｋｇｆである。
ストッパーは連結部１１と永久磁石３３とによって構成されている。
【００１６】
次に卓球台の使用方法を説明する。
卓球台を使用する場合には、垂直姿勢となっている天板３の上端部を手で掴み、図１の実線で示す垂直姿勢から仮想線で示す水平姿勢に回動させる。このとき天板３を回動させる方向の力を加えれば、永久磁石３３が連結部１１から離間して、天板３の保持が解除される。このように天板３を回動させるだけで天板３の保持が簡単に解除できるため、ストッパーをいちいち解除するという作業が不要となる。従って、ストッパーを解除し忘れることがなく、構成体１の全体が倒れてしまうおそれもない。
そして、天板３と図示しないもう１つの天板の端面どうしを付き合わせた状態に配置する。
【００１７】
卓球台を収納する場合には、水平姿勢となっている天板３の端部を手で掴み、天板３を垂直姿勢となる方向に回動させる。天板３を二点鎖線に示す接近ポジションＰｋになるまで回動させると、永久磁石３３と連結部１１との距離が一定以下になり、永久磁石３３の吸引力が連結部１１に働く。そして、この吸引力によって天板３は図３に示す矢印の向きに自動的に回動して、図４に示すように永久磁石３３が連結部１１を吸着する。永久磁石３３が連結部１１を吸着することで、天板３が垂直姿勢に保持される。このように天板３を回動させるだけで垂直姿勢に簡単に保持できるため、ストッパーをいちいちかけるという作業が不要となる。
従って、天板を垂直姿勢に保持するためにストッパーをかけたり、天板の保持を解除するためにストッパーを解除したりする作業を、天板を回動させるだけで、だれでも極めて簡単に行うことができる。
また、ストッパーをかけ忘れることがなく、構成体１を移動する際や、天板３を垂直姿勢にした状態で収納している際等において、天板３が不用意に回動してしまうのを確実に防止することができる。
【００１８】
前述したようにストッパーは連結部１１と永久磁石３３とによって構成されているため、例えば係合部材とピンとから成るストッパーのような機械的なものと比べて、構造的に破損、摩耗し難く、高い耐久性を有している。
また永久磁石３３は天板３の左右方向のほぼ中央に配置されているので、卓球台を長期間に渡って使用し、支持脚５等がある程度歪むなどして、構成体１に多少のガタ付きが生じたような場合でも天板３を確実に保持することができる。
【００１９】
以上、本発明の実施の形態について詳述してきたが、具体的構成は、この実施の形態に限られるものではなく、本発明の要旨を逸脱しない範囲における設計の変更などがあっても発明に含まれる。
上記実施の形態は、卓球台を二分割されるセパレート式のものとしたが、同一構造の２つの構成体１を蝶番等で連結した折り畳み式のものにしてもよい。
上記実施の形態は、天板側に永久磁石３３を設け、支持脚側に磁性体を設けてストッパーを構成したが、天板側に磁性体を設け、支持脚側に永久磁石３３を設けてストッパーを構成してもよい。例えば、天板３に磁性体としての鉄製の角パイプを取付け、支持脚５に永久磁石３３を取付けてもよい。
また、磁性体として鉄製のものを用いたが、例えばコバルト製、ニッケル製又はガドリニウム製などの強磁性のものを用いてもよい。
上記実施の形態は、永久磁石３３を１つ設けたが、永久磁石３３は１つに限定されず、永久磁石の吸着力や吸引力を考慮して１つにしてもよく２つ以上にしてもよい。また、永久磁石３３の１個当たりの吸着力は２０ｋｇｆとしたが、永久磁石３３の吸着力は天板３の重量等によって適宜変更してもよい。
【産業上の利用可能性】
【００２０】
本発明は、卓球台の製造業において利用することが可能である。
【符号の説明】
【００２１】
１…構成体                        ３…天板
５…支持脚                        ７…水平部
９…垂直部                        １１…連結部
１３…キャスター
１７…取付部材                    １９…支持軸
２１…脚部                        ２３…支持軸
２５…回動バー                    ２７、２９…支持軸
３１…取付部材                    ３３…永久磁石
【図１】
2010162129.tif 000003
【図２】
2010162129.tif 000004
【図３】
2010162129.tif 000005
【図４】
2010162129.tif 000006